(57)【要約】  制御部１１４は、分析モジュール１０７，２０７およびサンプラモジュール２００に対して独立しているメンテナンスのガイダンス（サンプラモジュール用表示領域２３１、第２分析モジュール用表示領域２３０、第１分析モジュール用表示領域２３２）が同一画面内に並べられたメンテナンスガイド画面２０１を表示部１１６に表示させる。これにより、複数のユニットが接続された自動分析装置において、いずれのユニットに対するメンテナンスも平行して実行することを可能とする自動分析装置と自動分析装置におけるメンテナンスガイド方法が提供される。
2020217720.tif 000002
【特許請求の範囲】
【請求項１】
検体を分析する自動分析装置であって、
前記検体の分析を行う少なくとも１つ以上の分析ユニットと、
前記検体を収容した検体容器を複数保持し、前記検体容器を前記分析ユニットに供給する搬送ユニットと、
前記分析ユニットおよび前記搬送ユニットのメンテナンスに関係する情報を表示する表示装置と、
前記分析ユニットおよび前記搬送ユニットの動作を制御するとともに、前記表示装置にメンテナンスに関係する情報を表示させる制御部と、を備え、
前記制御部は、前記分析ユニットおよび前記搬送ユニットに対して独立している前記メンテナンスのガイダンスが同一画面内に並べられたガイド画面を前記表示装置に表示させる
ことを特徴とする自動分析装置。
【請求項２】
請求項１に記載の自動分析装置において、
前記分析ユニットおよび前記搬送ユニットは、各々のユニット内の機器の動作を他のユニットの動作とは独立して制御するユニット内制御部を有しており、
前記ガイド画面において、それぞれのユニットの前記メンテナンスの進捗を表示し、かつメンテナンス動作を独立して制御可能である
ことを特徴とする自動分析装置。
【請求項３】
請求項１に記載の自動分析装置において、
前記制御部は、それぞれのユニットの装置状態を表示するステータス表示領域を前記ガイド画面に表示させる
ことを特徴とする自動分析装置。
【請求項４】
請求項１に記載の自動分析装置において、
前記制御部は、それぞれのユニットのメンテナンスの終了までの残時間を表示する残時間情報表示領域を前記ガイド画面に表示させる
ことを特徴とする自動分析装置。
【請求項５】
請求項１に記載の自動分析装置において、
前記制御部は、それぞれのユニットのメンテナンスの繰り返し動作回数を表示する回数情報表示領域を前記ガイド画面に表示させる
ことを特徴とする自動分析装置。
【請求項６】
請求項２に記載の自動分析装置において、
前記制御部は、前記ガイド画面に、各々のユニットに対して独立して動作指示が可能な指示領域を表示させる
ことを特徴とする自動分析装置。
【請求項７】
請求項１に記載の自動分析装置において、
前記制御部は、各ユニットに対する前記ガイダンスを、前記ガイド画面をオペレータが見る位置から前記自動分析装置を見たときの各ユニットの並びと同じ配置関係で提供する
ことを特徴とする自動分析装置。
【請求項８】
請求項１に記載の自動分析装置において、
前記制御部は、前記表示装置にグローバル画面が表示されている際に、前記ガイド画面へ遷移する遷移領域を前記グローバル画面内に表示させる
ことを特徴とする自動分析装置。
【請求項９】
請求項１に記載の自動分析装置において、
前記制御部は、前記表示装置にメンテナンス画面が表示されている際に、前記ガイド画面へ遷移する遷移領域を前記メンテナンス画面内に表示させる
ことを特徴とする自動分析装置。
【請求項１０】
請求項１に記載の自動分析装置において、
前記制御部は、前記表示装置に前記自動分析装置の概要が表示されるオーバービュー画面が表示されている際に、前記ガイド画面へ遷移する遷移領域を前記オーバービュー画面内に表示させる
ことを特徴とする自動分析装置。
【請求項１１】
請求項１に記載の自動分析装置において、
前記制御部は、複数のユニットのうち、表示対象のユニットのみのガイド画面を表示させる選択領域を表示させる
ことを特徴とする自動分析装置。
【請求項１２】
請求項１に記載の自動分析装置において、
前記制御部は、複数のユニットのうち、選択されたユニットのガイド画面を別途表示させる
ことを特徴とする自動分析装置。
【請求項１３】
請求項１に記載の自動分析装置において、
バックグランドでユニットのメンテナンスが実行され、かつ前記ガイド画面以外の画面が前記表示装置に表示されているタイミングで、オペレータへメンテナンス状況を通知する必要があるときは、通知情報を表示させる
ことを特徴とする自動分析装置。
【請求項１４】
検体の分析を行う少なくとも１つ以上の分析ユニットと、前記検体を収容した検体容器を複数保持し、前記検体容器を前記分析ユニットに供給する搬送ユニットと、前記分析ユニットおよび前記搬送ユニットのメンテナンスに関係する情報を表示する表示装置と、前記分析ユニットおよび前記搬送ユニットの動作を制御するとともに、前記表示装置にメンテナンスに関係する情報を表示させる制御部と、を備える自動分析装置におけるメンテナンスのガイダンス方法であって、
前記分析ユニットおよび前記搬送ユニットに対して独立している前記メンテナンスのガイダンスが同一画面内に並べられたガイド画面を前記表示装置に表示させる
ことを特徴とする自動分析装置におけるメンテナンスのガイダンス方法。
【発明の詳細な説明】
【技術分野】
【０００１】
本発明は、血液や血漿、血清、尿、その他の体液などの生体試料（以下、検体またはサンプルと称する）の定量、定性分析を行う自動分析装置と自動分析装置におけるメンテナンスガイド方法に係り、特に複数の分析ユニットを有する自動分析装置とそのメンテナンスガイド方法に関する。
【背景技術】
【０００２】
自動分析装置において分析のためのオペレーションに先立ち必要となる準備事項を表示し、装置操作に不慣れなオペレータでも事前に必要な準備をもれなく実施できる自動分析装置の一例として、特許文献１には、操作部に表示されるシステム概観画面上に配置された、メンテナンスボタン，データ消去ボタン，試薬状況ボタン，試薬プライムボタン，キャリブレーションボタン，ＱＣボタンを、実際の装置の状況に応じて赤色，黄色等に表示色を変化させることによって、分析前に必要な準備事項をオペレータに認知させる、ことが記載されている。
【先行技術文献】
【特許文献】
【０００３】
【特許文献１】特開２００４−０２８９３２号公報
【発明の概要】
【発明が解決しようとする課題】
【０００４】
血液や尿の如き検体の定量、定性分析を自動で行う自動分析装置は、多くの患者検体を短時間で処理する必要のある大学病院、臨床検査センターを中心に普及が著しく、処理能力により、大型、中型、小型の各種の自動分析装置が開発されている。【０００５】
特に、多数の検体を分析処理する大型の分析装置の場合には、検体の入った検体容器を検体ラックと呼称されるホルダに保持した状態で搬送ライン（搬送装置）を介して複数の分析ユニットに搬送するものがあり、検査技師が検体ラック投入口にラックを投入するだけで分析結果の出力までが自動で実行される。【０００６】
近年においては、接続される分析ユニットも多用化し、血中のコレステロール等を測定する生化学分析ユニットと、感染症等を測定する免疫分析ユニットなどもあり、これら異種の分析ユニットが複数接続されるものもある。これによって、大量の検体を測定するだけであったものから、多種項目の測定をするような流れになっている。【０００７】
また、自動分析装置の集約化が可能となったため、従来大型が主流であった搬送ラインで接続するという形態が、中型、小型の自動分析装置へも適用され、中規模の病院などへも普及が進んできている。【０００８】
一方、分析装置が安定した測定結果を出力するためには、定期的なメンテナンスは欠かせないが、装置の専有面積の縮小化に伴い、年を追うごとに機構の複雑さは増しており、前述のメンテナンスも難易度が増している。【０００９】
従来であれば紙で印刷されたメンテナンス用のマニュアルを読み、熟練のオペレータがメンテナンスを実施していた。【００１０】
近年、急激な電子化に伴い、これらのマニュアルも電子媒体で提供となっている。この場合、装置の内部記録媒体等にマニュアルが保存されており、それを参照するという形態に変わってきている。【００１１】
一方、少子高齢化による検査総数の急激な増加、検査種別の多種多様化に伴い、検査技師の負担も重くなるとともに、検査技師一人当たりの担当すべき装置台数も増加傾向にある。このため、熟練度が未熟なオペレータでも対応することを余儀なくされてきている。【００１２】
これらの背景から、マニュアルだけでなく、特許文献１に記載のように、操作手順を指示するガイダンス機能を装置内に組み込み、これに従って操作するだけで、未熟なオペレータでも装置の維持管理を行えるようにしようとしている。【００１３】
例えば、生化学の自動分析装置のメンテナンス行為として、光学系メンテナンスという複数のメンテナンス項目（光源ランプの交換、反応セル交換、反応槽洗浄等）を一連の流れとして行うメンテナンスが存在する。【００１４】
このメンテナンスは、一般的に、１）光源ランプを消灯、２）光源ランプが冷めるまで待機、３）反応槽の循環水を抜く、４）反応槽の洗浄、５）測光用の反応セルを取り外し、６）光源ランプの交換を行い、その後、７）測光用の反応セルを取り付け、８）反応槽の循環水を給水、９）光源ランプを点灯、１０）光源ランプが安定するまで待機、１１）反応セルの洗浄とセルブランクの測定、という過程を踏まなければならない。【００１５】
これらのステップの各々において、どのカバーを開ける、どのネジを緩める、といった、オペレータがすべき行為をステップバイステップで操作画面に表示することで、作業の補助を実現することが出来る。【００１６】
このようなガイダンス機能を自動分析装置に組み込む場合、前述したような複数の分析ユニットを接続した装置においては、ガイダンス機能を運用するのは非常に難しいことが想像される。その理由は、複数の分析ユニットを接続した装置においても、操作部の画面は１つで構成されているためである。【００１７】
これに対して、例えばガイダンス用の画面を分析ユニット毎に専用に設けることが考えられる。しかしながら、このような場合においても、各々のメンテナンス動作を進めるためには、第１の分析ユニット用のガイド画面と第２の分析ユニット用のガイド画面とを切り替えて表示させ、その上で必要な動作を確認して行う必要がある。【００１８】
このような切り替え作業はオペレータにとって非常に煩雑である。切り替えを繰り返すことで混乱を招き、現在行うべき作業が分からなくなる、との恐れがある。更には、ミスが生じる可能性が高い、との恐れがある。【００１９】
すなわち、それぞれのメンテナンスを実施するにあたり、一方のメンテナンスの状況がもう一方のメンテナンス行為を阻害してしまい、メンテナンス行為を並行して実行することが困難である、との課題がある。その結果、メンテナンス行為に時間を要してしまうことが危惧される。【００２０】
また、分析ユニット毎の操作部を設けるという手段も考えられるものの、実際の検査室では多種多様な分析装置が存在するため、小型化かつ集約化が進んでいる自動分析装置においてこのような手段は非現実的である。【００２１】
本発明は、複数のユニットが接続された自動分析装置において、いずれのユニットに対するメンテナンスも平行して実行することを可能とする自動分析装置とそのような自動分析装置におけるメンテナンスガイド方法を提供することを目的とする。
【課題を解決するための手段】
【００２２】
本発明は、上記課題を解決する手段を複数含んでいるが、その一例を挙げるならば、検体を分析する自動分析装置であって、前記検体の分析を行う少なくとも１つ以上の分析ユニットと、前記検体を収容した検体容器を複数保持し、前記検体容器を前記分析ユニットに供給する搬送ユニットと、前記分析ユニットおよび前記搬送ユニットのメンテナンスに関係する情報を表示する表示装置と、前記分析ユニットおよび前記搬送ユニットの動作を制御するとともに、前記表示装置にメンテナンスに関係する情報を表示させる制御部と、を備え、前記制御部は、前記分析ユニットおよび前記搬送ユニットに対して独立している前記メンテナンスのガイダンスが同一画面内に並べられたガイド画面を前記表示装置に表示させることを特徴とする。
【発明の効果】
【００２３】
本発明によれば、複数のユニットが接続された自動分析装置において、いずれのユニットに対するメンテナンスも平行して実行することができる。上記した以外の課題、構成および効果は、以下の実施形態の説明により明らかにされる。
【図面の簡単な説明】
【００２４】
【図１】本実施形態に係る自動分析装置の全体構成を概略的に示す図である。
【図２】本実施形態に係るグローバル画面の概要と、当該画面からメンテナンス画面への移行を推奨する表示を説明する図である。
【図３】本実施形態に係るメンテナンス画面の概要と、当該画面からメンテナンスガイド画面への移行を説明する図である。
【図４】本実施形態に係るオーバービュー画面の概要と、当該画面からメンテナンスガイド画面への移行を説明する図である。
【図５】本実施形態に係る自動分析装置におけるメンテナンスガイド画面の一例を示す図である。
【図６】本実施形態に係る自動分析装置におけるメンテナンスガイド画面においてメンテナンスを停止する場合の確認画面を示す図である。
【図７】本実施形態に係る自動分析装置におけるメンテナンス動作のフローチャートとメンテナンスガイド画面におけるメッセージ内容との関係を示す図である。
【図８】本実施形態に係る自動分析装置におけるメンテナンス動作のフローチャートとメンテナンスガイド画面におけるメッセージ内容との関係を示す図である。
【発明を実施するための形態】
【００２５】
本発明の自動分析装置および自動分析装置におけるメンテナンスガイド方法の実施形態について図１乃至図８を用いて説明する。
【００２６】
最初に、自動分析装置の全体構成の一例について図１を用いて説明する。図１は、本実施形態に係る自動分析装置の全体構成を概略的に示す図である。
【００２７】
図１において、本実施形態で一例として示す自動分析装置１００は、複数（本実施形態では２つ）の分析モジュール１０７，２０７と、これら分析モジュール１０７，２０７での分析対象となる検体を収容した１つ以上の検体容器を搭載する検体ラックを搬送するサンプラモジュール２００と、自動分析装置１００の全体の動作を制御する制御装置３００と、から概略構成されている。
【００２８】
ここで、検体ラックには、分析モジュール１０７，２０７において定性・定量分析の対象となる検体が収容された１つ以上の検体容器が搭載されている。
【００２９】
検体ラックには、少なくとも、通常の優先度で分析が行われる検体（通常検体）を収容した検体容器が搭載された検体ラック（以降、単に検体ラック１０１と称する）と、その検体ラック１０１よりも分析測定の緊急度が高い緊急検体を収容した検体容器が搭載された検体ラック（以降、特に検体ラック１０１と区別する場合は緊急検体ラック１０１Ａと記載する）とがある。
【００３０】
サンプラモジュール２００は、自動分析装置１００に投入される検体ラック１０１を分析モジュール１０７，２０７との間で搬送するモジュールであり、検体ラック供給部１０２、緊急検体ラック投入部１１２、搬送ライン１０４、緊急検体ラック待機エリア１１３、検体識別装置１０５、ラックロータ１０６、検体ラック収納部１０３、等を備えている。
【００３１】
搬送ライン１０４は、検体ラック１０１や緊急検体ラック１０１Ａを往復搬送する、例えば、ベルトコンベヤタイプの搬送機構である。
【００３２】
緊急検体ラック投入部１１２は、搬送ライン１０４に隣接して設けられており、緊急検体ラック１０１Ａを投入するための領域である。
【００３３】
検体ラック供給部１０２は、緊急検体ラック投入部１１２よりも搬送ライン１０４の一端側に搬送ライン１０４に隣接して設けられており、通常検体の検体ラック１０１を供給するための領域である。
【００３４】
検体ラック収納部１０３は、検体ラック供給部１０２よりも搬送ライン１０４の一端側に搬送ライン１０４に隣接して設けられており、検体ラック１０１を収納するための領域である。
【００３５】
緊急検体ラック待機エリア１１３は、検体ラック収納部１０３よりも搬送ライン１０４の他端側のうち搬送ライン１０４上に設けられており、緊急検体ラック１０１Ａを一時的に待機させるための領域である。
【００３６】
検体識別装置１０５は、搬送ライン１０４を搬送される検体ラック１０１に搭載された検体容器に収容された検体に関する分析依頼情報を照会するために、検体ラック１０１および検体容器に設けられたＲＦＩＤやバーコードなどの識別媒体（図示省略）を読み取って識別する機構である。
【００３７】
ラックロータ１０６は、搬送ライン１０４の一端に配置さてれている。このラックロータ１０６は、検体ラック１０１等を搭載可能な１つ以上のスロット１０６ａ，１０６ｂを有しており、搬送ライン１０４の一端および分析モジュール１０７，２０７の分注ライン１０９，２０９の一端のそれぞれとの間で検体ラック１０１等の授受を行う機構である。
【００３８】
例えば、ラックロータ１０６は、時計回り、反時計回りに回転動作する構造になっており、検体ラック１０１が投入された順に処理を開始するように、あるいは、優先度の高い検体ラック１０１が投入された場合には、先に入れた検体ラック１０１よりも先に処理を開始することができるように、適宜その回転動作が制御される。
【００３９】
分析モジュール１０７，２０７は、検体ラック１０１に搭載された検体容器に収容された検体に対してサンプリング（分注）を行って定性・定量分析を行うユニットであり、それぞれ、分注ライン１０９，２０９、検体識別装置１１０，２１０、反応ディスク１１８，２１８、検体分注機構１０８，２０８、試薬ディスク１１９，２１９、試薬分注機構１２０，２２０、測定部（図示省略）、等を備えている。
【００４０】
分注ライン１０９，２０９は、サンプラモジュール２００から分析モジュール１０７，２０７への検体ラック１０１の引き込み、および分析モジュール１０７，２０７からサンプラモジュール２００への検体ラック１０１の引き渡しを行う往復動作可能な搬送機構を採用している。例えば、ベルトコンベヤタイプの機構である。
【００４１】
なお、分注ライン１０９，２０９としてベルトコンベヤタイプの搬送機構を採用した場合を例示しているが、分注ライン１０９，２０９に沿って駆動される突起構造物を検体ラック１０１に予め設けられた凹部に嵌合させて搬送するような構成を採用することができる。このような構成は、搬送ライン１０４も同様である。
【００４２】
検体識別装置１１０，２１０は、分注ライン１０９，２０９の他端側に隣接して設けられており、分注ライン１０９，２０９に搬入された検体ラック１０１に収容されている検体に対する分析依頼情報を照合するために検体ラック１０１および検体容器に設けられたＲＦＩＤやバーコードなどの識別媒体（図示省略）を読み取って識別する機構である。
【００４３】
検体分注機構１０８，２０８は、分注ライン１０９，２０９上の分注位置に搬送された検体ラック１０１の検体容器から反応ディスク１１８，２１８の反応容器に検体を分注する機構である。
【００４４】
試薬分注機構１２０，２２０は、試薬ディスク１１９，２１９の試薬容器に収容された試薬を反応ディスク１１８，２１８の反応容器に分注する機構である。
【００４５】
測定部は、反応容器に分注された検体と試薬の混合液（反応液）の測定を行って定性・定量分析を行う機構である。
【００４６】
なお、サンプラモジュール２００や分析モジュール１０７，２０７は、各々のモジュール内の機器の動作を他のモジュールの動作とは独立して制御するモジュール内制御部１０７ａ，２０７ａ，２００ａをそれぞれ有している。これらモジュール内制御部１０７ａ，２０７ａ，２００ａは、制御部１１４からの指令信号に基づいてそれぞれのモジュール内の各機器が動作可能に構成されている。
【００４７】
なお、本実施形態では、分析モジュール１０７は生化学検査用のユニット、分析モジュール２０７は免疫検査用のユニットを想定しており、この場合、検査の目的や処理能力は異なる。
【００４８】
その他にも、分析モジュール１０７内に電解質濃度測定用の測定ユニットを設けたり、各モジュール内に用途に応じて血液凝固分析用の測定ユニット等を適宜配置したりすることができる。
【００４９】
更に、目的（検査項目）が同一の場合は複数台の分析モジュールを同一の分析モジュールで処理能力も同じに維持する構成とすることができ、目的のみが異なる場合に異なる分析モジュールを複数台接続する構成とすることができる。
【００５０】
制御装置３００は、分析モジュール１０７，２０７およびサンプラモジュール２００の各機器を含め、自動分析装置１００の全体の動作を制御する装置であり、ＣＰＵやメモリなどを備えたコンピュータである。
【００５１】
制御装置３００は、表示部１１６、入力部１１７、記憶部１１５、制御部１１４等から構成される。
【００５２】
表示部１１６は、各種パラメータや設定の入力画面、初回検査あるいは再検査の分析検査データ、測定結果等の情報を表示するとともに、分析モジュール１０７，２０７およびサンプラモジュール２００のメンテナンスに関係する情報を表示する液晶ディスプレイ等の表示機器である。なお、後述する入力部１１７を兼ねたタッチパネル式の表示装置から構成されたものとすることができる。
【００５３】
入力部１１７は、各種パラメータや設定、分析依頼情報、分析開始等の指示などの各種データを入力するためのキーボードやマウスで構成される。
【００５４】
記憶部１１５は、自動分析装置１００内に投入された検体の測定結果、各検体ラックに搭載された検体容器に収容された検体の分析依頼情報等を記録しているフラッシュメモリ等の半導体メモリやＨＤＤ等の磁気ディスク等の記録媒体である。この記憶部１１５は、また、自動分析装置１００内の各機器の動作の制御用の各種パラメータや設定値、後述する各種表示処理等を実行するための様々なコンピュータプログラム等を記録している。
【００５５】
制御部１１４は、制御装置３００を含む自動分析装置１００の全体の動作を制御する部分であり、上述のＣＰＵなどである。
【００５６】
この制御部１１４は、本実施形態においては、表示部１１６の表示画面に検体に関する情報や分析項目に関する情報、分析結果に関する情報等の各種情報が表示される画面の表示制御を行う。更に、分析開始を行うための操作画面や分析の進行状況、メンテナンスの実行を指示する画面、メンテナンスの進捗状況に関する情報、メンテナンスのガイド画面等、自動分析装置１００の運用に関する各種画面を表示させる制御を実行する。その詳細は、それぞれの図を用いて詳しくは後述する。
【００５７】
以上が自動分析装置１００の一般的な構成である。
【００５８】
上述のような自動分析装置１００による検体の分析処理は、一般的に以下の順に従い実行される。
【００５９】
オペレータは、表示部１１６や入力部１１７を使って自動分析装置１００に対して分析指示を与える。分析指示は、記憶部１１５に記憶されると共に、制御装置３００を介してサンプラモジュール２００および分析モジュール１０７，２０７のうち対象の分析モジュールに送信される。対象のモジュールは受信した分析指示に従い、次のように分析動作を行う。
【００６０】
サンプラモジュール２００は、検体ラック供給部１０２に設置された検体ラック１０１を１ラックずつ搬送ライン１０４上に送り出し、ラックロータ１０６に搬入する。
【００６１】
ラックロータ１０６に搬送された検体ラック１０１は、制御装置３００により依頼された測定項目に応じて、分析モジュール１０７の分注ライン１０９、あるいは分析モジュール２０７の分注ライン２０９に搬送される。
【００６２】
分注ライン１０９，２０９に検体ラック１０１が到着すると、検体ラック１０１に搭載された各試料に対して、検体分注機構１０８，２０８により分注動作が実施される。
【００６３】
測定項目が生化学項目の場合には、検体分注機構１０８は、吸引した試料を反応ディスク１１８上にある反応容器に吐出する。その後、その反応容器に対して試薬分注機構１２０により試薬ディスク１１９上から吸引した試薬を更に添加し、攪拌する。その後、測定部により吸光度等が測定され、測定結果が制御装置３００の制御部１１４に送信される。
【００６４】
分析に使用された反応容器は、洗浄機構（図示省略）から分注される水やアルカリ性洗剤、および酸性洗剤で洗浄され、次の分析へ使用される。
【００６５】
また、測定項目が免疫項目の場合には、試薬分注機構２２０により試薬ディスク２１９上から吸引した試薬を反応ディスク２１８上の反応容器に吐出し、その反応容器に対して検体分注機構２０８により試料を更に添加し、攪拌する。その後、必要に応じて磁気分離などの処理を行った後、測定部により測定され、測定結果が制御装置３００の制御部１１４に送信される。
【００６６】
制御部１１４は、送信された測定結果から演算処理によって試料内の特定成分の濃度を求め、結果を表示部１１６等に表示させる、あるいは記憶部１１５に記憶させるなどの処理を行う。
【００６７】
次に、本実施形態の自動分析装置１００におけるメンテナンスの詳細について図２以降を用いて説明する。
【００６８】
最初にメンテナンス時の表示画面等について図２乃至図６を用いて説明する。
【００６９】
図２は、グローバル画面の概要と、当該画面からメンテナンス画面への移行を推奨する表示を説明する図である。図３は、メンテナンス画面の概要と、当該画面からメンテナンスガイド画面への移行を説明する図である。図４は、オーバービュー画面の概要と、当該画面からメンテナンスガイド画面への移行を説明する図である。図５は、メンテナンスガイド画面の一例を示す図である。図６は、メンテナンスガイド画面においてメンテナンスを停止する場合の確認画面を示す図である。
【００７０】
なお、以下に示す各画面の表示制御は、上述のように、制御装置３００の制御部１１４により実行される。
【００７１】
図２に示すグローバル画面６０１は、制御装置３００の表示部１１６における操作画面上に表示される画面であって、全ての状態に共通して表示されるグローバル領域と、各々の状態に応じて内容が変わるローカル領域とで構成される。
【００７２】
図２に示すグローバル画面６０１には、電源ボタン６０２、ヘルプボタン６０３、オンラインマニュアルボタン６０４、メニューボタン６０５、オーバービューボタン６０６、メンテナンスボタン６０７、アラームボタン６０８、レポートボタン６０９、スタートボタン６１１、ストップボタン６１０、メンテナンス画面３０１、等が表示される。
【００７３】
このグローバル画面６０１におけるグローバル領域は、図２に示す例であればメンテナンス画面３０１以外の部分が相当する。
【００７４】
また、詳細を図３に示すメンテナンス画面３０１や図４に示すオーバービュー画面４０１、図５に示すメンテナンスガイド画面２０１は、グローバル画面６０１のうちローカル領域に表示される画面である。
【００７５】
オンラインマニュアルボタン６０４は、オンランマニュアルを参照するための領域である。メニューボタン６０５は、各種のメニューアイコンを表示するための領域である。
【００７６】
オーバービューボタン６０６は、後述する図４に示すオーバービュー画面の表示を選択するための領域である。メンテナンスボタン６０７は、後述する図３に示すメンテナンス画面の表示を選択するための領域である。
【００７７】
アラームボタン６０８は、アラームの詳細内容の表示を選択するための領域である。レポートボタン６０９は、オペレータへの各種レポートの表示を選択するための領域である。
【００７８】
スタートボタン６１１は処理の実行の開始を選択，指示するための領域であり、ストップボタン６１０は、停止を選択，指示するための領域である。
【００７９】
制御部１１４は、スタートボタン６１１が押下されたことを認識したときは、分析処理を開始する。なお、メンテナンス中やウォーミングアップ中等のように、分析を実行できない状態に装置が置かれている場合は、このスタートボタン６１１が押下されないようにするか、押下されても分析を開始せずに分析を実行できない理由をオペレータに通知するか、のいずれかの処理が実行されることが望ましい。
【００８０】
また、制御部１１４は、ストップボタン６１０が押下されたことを認識したときは、分析を中止する、メンテナンスを中止する、等、装置がどのような状態であってもその動作を停止させることが望ましいが、分析を中止するのみであってもよい。
【００８１】
図２および図３に示すように、メンテナンス画面３０１は、主にメンテナンス分類表示領域３０２、メンテナンス詳細情報表示領域３０３から構成される。
【００８２】
メンテナンス分類表示領域３０２には、メンテナンス項目Ｎｏ．３０５のそれぞれに対し、メンテナンス分類３０６において各カテゴリに分類されたメンテナンスの情報が示される。
【００８３】
例えば、各種部品の交換や清掃、リセット等のメンテナンスを含む「ユーザーメンテナンス」や、各分注機構や各ディスクといった各機構の動作をチェックする「チェック」、各モジュールの部品単位で有効期限等を管理する「予備メンテナンス」、サービスマンによる専用のメンテナンスを含む「サービスメンテナンス」、日ごと、週ごと、月ごとなど、定期的に実行する必要するメンテナンスを含む「定期メンテナンス」などが表示される。
【００８４】
メンテナンス詳細情報表示領域３０３では、メンテナンス分類表示領域３０２に示されるメンテナンス項目Ｎｏ．３０５に対応するそれぞれのメンテナンスが、各モジュールのいずれに必要なものであるかを示す各モジュール情報３０８、主に必要なアクションを示すアクション情報３０９、および実施した日時の情報が日時情報３１０として示される。
【００８５】
なお、図３の各モジュール情報３０８では、「Ｅ」は分析モジュール２０７、「Ｓ」はサンプラモジュール２００、「Ｃ」は分析モジュール１０７を示すものとする。
【００８６】
また、図３においては、日時情報３１０として日付の情報のみが示されているが、より詳細な情報として時刻まで表示することも可能である。
【００８７】
ここで、オペレータは、装置に対して実行したいメンテナンスを選択し（例えば、図３中、点線Ａの領域にて示すＮｏ．８の光学系メンテナンス）、選択時に表示されるスタートボタン６１１等を押下することで、メンテナンス開始の指示を行うことが可能である。
【００８８】
ここで、本実施形態では、制御部１１４は、表示部１１６にグローバル画面６０１が表示されている際にも、メンテナンスガイド画面２０１へ遷移するためのメンテナンスガイドボタン６１４をグローバル画面６０１内に表示させる。
【００８９】
例えば、図３に示すメンテナンス画面３０１により、オペレータは実際の装置における各モジュールのメンテナンスの実行状態を確認し、必要なガイダンスを確認して操作を実行する際にメンテナンスガイドボタン６１４を選択する。これにより、後述する図５のメンテナンスガイド画面２０１へ移行することができる。
【００９０】
また、オペレータが各モジュールのメンテナンス実行中に、例えば図３に示したメンテナンス画面３０１などの、メンテナンスガイド画面２０１以外の画面を表示している際に、バックグラウンドで実行されていたメンテナンスが終了してオペレータによる次の操作が必要となった場合には、制御部１１４は通知情報を表示させることが望ましい。
【００９１】
通知情報の通知の仕方としては、例えば、グローバル領域に示されるメンテナンスボタン６０７やグローバル画面６０１上のメンテナンスガイドボタン６１４の色やパターンを区別させて表示する、等の方法を用いることができる。更には、本態様以外にも、例えばメンテナンスガイド画面２０１への移行を推奨するメッセージを示す画面としてポップアップ等で表示することも可能である。
【００９２】
このとき、表示している画面がメンテナンス画面３０１以外の場合、例えば分析をオーダーする画面等であった場合には、オペレータはグローバル領域のメンテナンスボタン６０７を押下することでまずは図３に示すメンテナンス画面３０１へ移行する。その後に必要な動作を確認するためにメンテナンスガイドボタン６１４を押下することによってメンテナンスガイド画面２０１に移行することもできる。
【００９３】
なお、メンテナンスガイド画面２０１へ移行するためのメンテナンスガイドボタン６１４が、図２に示すようにメンテナンス画面３０１の表示されるローカル領域に表示される場合について説明したが、メンテナンスガイドボタン６１４は、グローバル領域に表示することができる。例えば、メンテナンスボタン６０７とアラームボタン６０８との間などに表示することができる。
【００９４】
また、Ｃｌｏｓｅボタン６１５を選択することで、前の画面に戻すことができる。
【００９５】
図４に示すオーバービュー画面４０１は、メンテナンスの実行状態の概要を把握するための画面であり、図４に示すように、主にレイアウト表示領域４０２、ステータス表示領域４０３から構成される。
【００９６】
レイアウト表示領域４０２は、各モジュールが、実際の配置と同じレイアウトで示されている。この図４では、「Ｅモジュール（免疫）４０８」は分析モジュール２０７、「Ｓモジュール４１０」はサンプラモジュール２００、「Ｃモジュール（生化学）４０９」は分析モジュール１０７を示すものとする。
【００９７】
このレイアウト表示領域４０２では、各モジュールがどのようなステータスにあるのかを、詳細情報表示領域４０５に示される各パターン、あるいは色分けなどの分類によって視覚的に認識することができるように表示する。
【００９８】
また、ステータス表示領域４０３は、各モジュールのそれぞれのより詳細な情報が示されている。
【００９９】
このオーバービュー画面４０１が表示されている際に、オペレータは実際の装置における各モジュールのメンテナンスの実行状態を確認し、必要なガイダンスを確認して操作を実行する際に、メンテナンスガイドボタン４０４を選択することで、後述する図５の画面へ移行することができる。
【０１００】
また、Ｃｌｏｓｅボタン４０７を選択することで、前の画面に戻すことができる。
【０１０１】
次に、本実施形態に係る自動分析装置におけるメンテナンスガイド画面について図５を用いて説明する。
【０１０２】
図５に示すメンテナンスガイド画面２０１は、制御装置３００の表示部１１６における操作画面上に表示される画面である。このメンテナンスガイド画面２０１は、図５に示すように、サンプラモジュール用表示領域２３１、第２分析モジュール用表示領域２３０、第１分析モジュール用表示領域２３２、およびＣｌｏｓｅボタン２４８で構成される。
【０１０３】
図５に示されているサンプラモジュール用表示領域２３１はサンプラモジュール２００のメンテナンスのガイダンスを表示する領域であり、第２分析モジュール用表示領域２３０は分析モジュール２０７のメンテナンスのガイダンスを表示する領域であり、第１分析モジュール用表示領域２３２は分析モジュール１０７のメンテナンスのガイダンスを表示する領域である。
【０１０４】
この図５に示すように、メンテナンスガイド画面２０１では、サンプラモジュール用表示領域２３１、第２分析モジュール用表示領域２３０、第１分析モジュール用表示領域２３２が同一画面内に並べられている。
【０１０５】
また、このメンテナンスガイド画面２０１では、サンプラモジュール用表示領域２３１、第２分析モジュール用表示領域２３０、第１分析モジュール用表示領域２３２を、メンテナンスガイド画面２０１をオペレータが見る位置から自動分析装置１００を見たときの各ユニットの並び（実際の装置レイアウト）と同じ並びで表示している。
【０１０６】
各モジュール用表示領域内には、モジュール名称表示領域２４２、ステータス表示領域２４３、残時間／カウント情報表示領域２４４、ガイダンス情報表示領域２４５、Ｎｅｘｔボタン２４６、Ｓｔｏｐボタン２４７がそれぞれ表示されている。
【０１０７】
モジュール名称表示領域２４２には、それぞれのモジュールを識別可能な固有名称が表示されている。
【０１０８】
ステータス表示領域２４３には、対応するモジュールの装置のステータス（装置状態）が表示されている。
【０１０９】
残時間／カウント情報表示領域２４４には、対応するそれぞれのモジュールのメンテナンス動作の残時間、または繰り返し動作を行うチェック機能における動作カウントの回数が表示される。この図５では、一例として、残時間／カウント情報表示領域２４４に残時間の情報を表示した例について示している。
【０１１０】
この残時間／カウント情報表示領域２４４で残時間を表示するケースは、終了までの時間が固定されたメンテナンス動作の実行中の場合や、繰り返す回数と一回一回の動作が固定されており、終了までの時間が予め決まっている動作が実行されている場合であることが望ましい。
【０１１１】
また、動作回数を表示するケースは、そのメンテナンス動作の終了時間が決定していないケースであることが望ましい。例えば、動作回数が決められておらず、あるタイミングＡでは１００回、タイミングＢでは１０回実行する場合や、一回一回の動作の時間が固定されていない場合等、メンテナンス終了までの時間があらかじめ決まっていない動作が実行されている場合である。
【０１１２】
ガイダンス情報表示領域２４５には、対応するモジュールのメンテナンス動作に対し、オペレータへ提供するガイダンスが表示される。
【０１１３】
Ｎｅｘｔボタン２４６は、対応するモジュールのメンテナンス動作に対して次のステップへ遷移させる選択領域である。また、Ｓｔｏｐボタン２４７は、対応するモジュールのメンテナンス動作に対してメンテナンス動作を中断させる選択領域である。
【０１１４】
このＳｔｏｐボタン２４７は、各メンテナンスの最中に中断せざるを得ない状況になった場合に押下することができるようになっていることが望ましい。このＳｔｏｐボタン２４７はメンテナンスの実施期間中は常時有効であり、押下するとメンテナンスを中断することが出来るようになっていることが望ましい。
【０１１５】
例えば、図５に示したメンテナンスガイド画面２０１において、特定のモジュールについてのメンテナンスを停止する場合に、オペレータによってＳｔｏｐボタン２４７が選択されると、図６に示す確認画面５０１がポップアップとして表示される。
【０１１６】
この確認画面５０１には、メンテナンスを停止してよいかどうかを確認するメッセージとともに、どのモジュールに対する指示であるのかを示す。
【０１１７】
オペレータはこの確認画面５０１を確認した上で、停止を続行する場合にはＯＫボタン５０２を選択し、停止をキャンセルしたい場合にはＣａｎｃｅｌボタン５０３を選択することができる。これにより、オペレータは操作ミス等により意図していないモジュールに対するメンテナンスの停止を指示してしまうことを防止することができる。
【０１１８】
一方、Ｎｅｘｔボタン２４６は、必要な操作が完了して、次に進むことができる状況下においてしか有効にならない（押下することができない）ように構成されていることが望ましい。これにより、メンテナンス動作の途中で、次の工程に誤って進んでしまう事態を防ぐことができる。
【０１１９】
上述のガイダンス情報表示領域２４５により、メンテナンスガイド画面２０１において、それぞれのモジュールのメンテナンスの進捗を表示するともに、Ｎｅｘｔボタン２４６およびＳｔｏｐボタン２４７により、それぞれのモジュールのメンテナンス動作を独立して制御可能となっている。
【０１２０】
図５に示すメンテナンスガイド画面２０１では、複数のモジュールにおいて、図７および図８にて後述するように、オペレータの手動による操作を伴うものと、装置が動作を行いオペレータは待機する必要があるものなどが混在する状況を示している。
【０１２１】
具体的には、分析モジュール１０７は、光源ランプの降温を待機している状態のステップ（図７のステップＳ７０３にて後述）であり、メンテナンスをガイドする第１分析モジュール用表示領域２３２のステータス表示領域２４３、残時間／カウント情報表示領域２４４、ガイダンス情報表示領域２４５にはそれぞれ必要な情報が表示されている。
【０１２２】
このとき、光源のランプは降温中であるので、所定の時間が経過しないと、次のステップへ進むことはできない。したがって、当該時間が経過するまでは、Ｎｅｘｔボタン２４６は無効（押下することができないよう）に構成される。
【０１２３】
一方、分析モジュール２０７は、反応槽を洗浄している状態（図７のステップＳ７０４にて後述する状態に類似）であり、メンテナンスをガイドする第２分析モジュール用表示領域２３０のステータス表示領域２４３、ガイダンス情報表示領域２４５にはそれぞれ必要な情報が表示されている。
【０１２４】
このとき、待機を要する時間はないため、残時間／カウント情報表示領域２４４には時間が表示されない。また、オペレータの手動による操作が完了すれば、次のステップに進むことができる状態であるため、Ｎｅｘｔボタン２４６は有効（押下することができるよう）に構成されている。
【０１２５】
このように、複数のモジュールから構成される自動分析装置において、各モジュールのメンテナンスの実行および管理に必要な情報を同一画面上に表示することで、オペレータは、どのモジュールがどのような進捗状態にあり、どれくらいの時間を要するのか、そして次に必要な操作は何かを一目で確認することができるので、一括して状況を把握しながら操作を進めることができる。
【０１２６】
また、同一画面上に表示されたボタンを操作することで、それぞれのモジュールに独立して動作指示を送ることができるので、一方のモジュールにおけるメンテナンスの実施時に、画面の切り替えなどによって生じる操作ミスの心配がなく、他方のモジュールにおける動作には影響を与えずに確実に処理を進めることが可能となる。
【０１２７】
なお、上述の構成では、分析モジュール１０７、サンプラモジュール２００、分析モジュール２０７の全てのモジュールについての各種の情報を表示する構成について説明したが、このうちのいずれか、あるいは２つ以上のモジュールについてのみ表示するように選択するチェックボックス等の選択ボタン（選択領域）や、選択用の子画面を設けることで、所望のモジュールの情報のみを確認できるように構成することもできる。
【０１２８】
なお、本実施形態では、あくまでもガイダンスを文章のメッセージで示していたが、ガイダンス情報表示領域２４５が許す限りにおいて、画像や動画を貼り付けてもいいし、音声ガイダンスの情報の起動用のボタンなどを設けることができる。
【０１２９】
次に、本実施形態の自動分析装置におけるメンテナンスガイドの流れについて図７および図８を用いて説明する。図７および図８は、メンテナンス動作のフローチャートとメンテナンスガイド画面におけるメッセージ内容との関係を示す図である。
【０１３０】
ここでは一例として、生化学分析モジュールである分析モジュール１０７における光源ランプおよび反応セルの交換と、反応槽の洗浄および循環水の供給と反応時の温度の安定化を行うための一連の作業工程からなる光学系メンテナンスを実行する場合について説明する。
【０１３１】
図３にて上述した動作により、オペレータが実行したいメンテナンスを選択し、実行を指示すると、メンテナンスが開始される（ステップＳ７０１）。
【０１３２】
最初に、図５に示したメンテナンスガイド画面２０１におけるガイダンス情報表示領域２４５に、メンテナンスの開始の確認および必要な操作が表示されて（Ｇ１）、実際のメンテナンスの開始の要否をオペレータに確認依頼する。ここで、オペレータが図５に示したＮｅｘｔボタン２４６を押下することで、ステップＳ７０２以降の処理が開始される。
【０１３３】
次いで、制御装置３００の制御部１１４は、メンテナンス開始に伴い、光源ランプを消灯する（ステップＳ７０２）。光源ランプは通電に伴って発熱しているため、消灯直後にオペレータが触れると火傷を伴う危険性がある。そのため、冷めるまで待機させる必要がある。
【０１３４】
次いで、制御装置３００の制御部１１４は、光源ランプの降温時間のための待機時間を設ける（ステップＳ７０３）。しかし、ここで何らのガイド情報がなければ、特にメンテナンスに不慣れなオペレータにとっては、この待機時間は装置が何をしているのか、またいつまで待てばいいのかが明確ではない。
【０１３５】
よって、このとき図５に示したメンテナンスガイド画面２０１のガイダンス情報表示領域２４５に、光源ランプが消灯されたこと、および待機時間を要することをメッセージとして表示させる（Ｇ２）。これに合わせて、待機に必要な時間としては一般的には全体として１５分程度を要するので、具体的な残時間の情報を残時間／カウント情報表示領域２４４に表示する。
【０１３６】
制御装置３００の制御部１１４は、待機時間が完了すれば自動でステップＳ７０４に移行する。
【０１３７】
次いで、制御装置３００の制御部１１４は、反応槽の栓を抜き、反応槽の水抜きを行う（ステップＳ７０４）。この反応槽の水が全て抜かれるまで、通常は１０分程度かかる。よって、上記と同様に、制御装置３００の制御部１１４は、図５に示したメンテナンスガイド画面２０１のガイダンス情報表示領域２４５に、反応槽の水抜き中であること、および待機時間を要することをメッセージとして表示する（Ｇ３）。これに合わせて、具体的な残時間の情報を残時間／カウント情報表示領域２４４に表示する。
【０１３８】
制御装置３００の制御部１１４は、待機時間が経過し、水抜き動作が完了すれば自動でステップＳ７０５に移行する。
【０１３９】
次いで、オペレータの操作により反応槽の洗浄を行う（ステップＳ７０５）。このために、制御装置３００の制御部１１４は、図５に示したメンテナンスガイド画面２０１のガイダンス情報表示領域２４５には、反応槽の水抜きが完了したこと、および必要な動作として、反応セルの取り外し、および洗浄の実施を行い、終了したらＮｅｘｔボタン２４６の押下を促すメッセージを表示する（Ｇ４）。
【０１４０】
このとき、オペレータがこのガイダンスに従って操作を行い、Ｎｅｘｔボタンを押すことで、ステップＳ７０６に移行する。
【０１４１】
次いで、オペレータの操作により光源ランプの交換を行う（ステップＳ７０６）。このために、制御装置３００の制御部１１４は、図５に示したメンテナンスガイド画面２０１のガイダンス情報表示領域２４５には、必要な動作として、光源ランプの交換を行い、終了したらＮｅｘｔボタン２４６の押下を促すメッセージを表示する（Ｇ５）。
【０１４２】
このとき、オペレータがこのガイダンスに従って操作を行い、Ｎｅｘｔボタンを押すことで、ステップＳ７０７に移行する。
【０１４３】
次いで、オペレータの操作により反応セルの交換を行う（ステップＳ７０７）。このために、制御装置３００の制御部１１４は、図５に示したメンテナンスガイド画面２０１のガイダンス情報表示領域２４５には、必要な動作として、反応セルの交換を行い、終了したらＮｅｘｔボタン２４６の押下を促すメッセージを表示する（Ｇ６）。
【０１４４】
このとき、オペレータがこのガイダンスに従って操作を行い、Ｎｅｘｔボタンを押すことで、図８に示すステップＳ７０８に移行する。
【０１４５】
次いで、制御装置３００の制御部１１４は、反応槽に栓をし、反応槽への給水を行う（ステップＳ７０８）。このとき、制御装置３００の制御部１１４は、反応槽への給水中であること、および待機時間を要することをメッセージとして表示する（Ｇ７）。これに合わせて、具体的な残時間の情報を残時間／カウント情報表示領域２４４に表示する。
【０１４６】
制御装置３００の制御部１１４は、待機時間が経過し、給水動作が完了すれば自動でステップＳ７０９に移行する。
【０１４７】
次いで、制御装置３００の制御部１１４は、自動で光源ランプの点灯を行う（ステップＳ７０９）。ここで、通常、光源ランプは単純に通電するだけでは光量が安定しないため、制御装置３００の制御部１１４は、安定化するまでの待機時間の経過を待つ（ステップＳ７１０）。また、給水直後の反応槽の水は温度が低いため、すぐに検体の測定に用いることが出来ない。よって、同様に反応槽の昇温までの待機時間を設ける必要がある。
【０１４８】
しかし、上記と同様に、ここで何らのガイド情報がなければ、特にメンテナンスに不慣れなオペレータにとっては、この待機時間は装置が何をしているのか、またいつまで待てばいいのかが明確ではない。よって、制御装置３００の制御部１１４は、図５に示したメンテナンスガイド画面２０１のガイダンス情報表示領域２４５に、光源ランプを点灯したこと、および安定化のための待機時間を要すること、そして、反応槽の水温が安定するまでの待機時間を要することをメッセージとして表示する（Ｇ８）。これに合わせて、具体的な残時間の情報を残時間／カウント情報表示領域２４４に表示する。
【０１４９】
制御装置３００の制御部１１４は、待機時間が経過し、光源ランプおよび反応槽の水温の安定化が完了すれば自動でステップＳ７１１に移行する。
【０１５０】
次いで、制御装置３００の制御部１１４は、一連のメンテナンス動作の最終工程であって、交換した反応セルの洗浄および、測定可能にするための各セルブランク値の測定を行う（ステップＳ７１１）。
【０１５１】
このとき、制御装置３００の制御部１１４は、図５に示したメンテナンスガイド画面２０１のガイダンス情報表示領域２４５には、装置がこれらの動作を行っていること、および終了までの待機時間を要することをメッセージとして表示する（Ｇ９）。このステップの処理が完了すると、メンテナンスは終了となる。
【０１５２】
なお、上述したステップＳ７０１乃至ステップＳ７１１までの各ステップは、図５に示したメンテナンスガイド画面２０１におけるステータス表示領域２４３に表示される。例えば、ステップＳ７０５は「反応槽洗浄」、ステップＳ７１０は、「光源ランプ恒温待機」等のステータス表示として表現される。
【０１５３】
次に、本実施形態の効果について説明する。
【０１５４】
上述した本実施形態の自動分析装置１００は、検体の分析を行う少なくとも１つ以上の分析モジュール１０７，２０７と、検体を収容した検体容器を複数保持し、検体容器を分析モジュール１０７，２０７に供給するサンプラモジュール２００と、分析モジュール１０７，２０７およびサンプラモジュール２００のメンテナンスに関係する情報を表示する表示部１１６と、分析モジュール１０７，２０７およびサンプラモジュール２００の動作を制御するとともに、表示部１１６にメンテナンスに関係する情報を表示させる制御部１１４と、を備え、制御部１１４は、分析モジュール１０７，２０７およびサンプラモジュール２００に対して独立しているメンテナンスのガイダンスが同一画面内に並べられたメンテナンスガイド画面２０１を表示部１１６に表示させる。
【０１５５】
これによって、それぞれのモジュールのメンテナンス行為は、メンテナンスガイド画面２０１内の各々のモジュール用のガイダンスに従うことでメンテナンスを迷うことなく平行して実施できるようになる。
【０１５６】
このため、メンテナンスに不慣れなオペレータであっても、どのモジュールに対してどのような操作が必要であるか、また現在の状態はどうなっているのかが、混乱することなく容易に確認することができる。また、ある程度の熟練したオペレータであれば、ステータス表示領域２４３に表示された状態を確認するだけで、ガイダンス情報表示領域２４５に表示されるメッセージを全て確認しなくても、進捗を把握することができる。このように、従来に比べてメンテナンス作業を省力化することができる。
【０１５７】
また、分析モジュール１０７，２０７およびサンプラモジュール２００は、各々のモジュール内の機器の動作を他のモジュールの動作とは独立して制御するモジュール内制御部を有しており、メンテナンスガイド画面２０１において、それぞれのモジュールのメンテナンスの進捗を表示し、かつメンテナンス動作を独立して制御可能であるため、他のモジュールのメンテナンス等の動作に影響されることなくメンテナンスを効率的に行うことができる。
【０１５８】
更に、制御部１１４は、それぞれのモジュールの装置状態を表示するステータス表示領域２４３をメンテナンスガイド画面２０１に表示させることで、オペレータが、当該モジュールのメンテナンスの進捗状況や装置状態を容易に把握することができ、メンテナンス動作をより容易に、かつ分かりやすく進めることができるようになる。
【０１５９】
また、制御部１１４は、それぞれのモジュールのメンテナンスの終了までの残時間を表示する残時間／カウント情報表示領域２４４をメンテナンスガイド画面２０１に表示させることにより、オペレータは次の作業までどの程度間隔が空くか容易に把握することができるため、メンテナンス作業をより効率的に進めることができるようになる。
【０１６０】
更に、制御部１１４は、それぞれのモジュールのメンテナンスの繰り返し動作回数を表示する残時間／カウント情報表示領域２４４をメンテナンスガイド画面２０１に表示させることによっても、オペレータは次の作業に進むまでどの程度余裕があるかを容易に把握することができるため、メンテナンス作業をより効率的に進めることができるようになる。
【０１６１】
また、制御部１１４は、メンテナンスガイド画面２０１に、各々のモジュールに対して独立して動作指示が可能なＮｅｘｔボタン２４６、Ｓｔｏｐボタン２４７を表示させることにより、他のモジュールの様々な動作に影響されることなく当該モジュールのメンテナンス動作を効率的に行うことができる。
【０１６２】
更に、制御部１１４は、各モジュールに対するガイダンスを、メンテナンスガイド画面２０１をオペレータが見る位置から自動分析装置１００を見たときの各モジュールの並びと同じ配置関係で提供することで、メンテナンスガイド画面２０１を見たオペレータがどのモジュールに対するガイダンスなのかをより直感的に把握することができるため、メンテナンス動作をより容易に、かつ分かりやすく進めることができるようになる。
【０１６３】
また、制御部１１４は、表示部１１６にグローバル画面６０１が表示されている際に、メンテナンスガイド画面２０１へ遷移するメンテナンスガイドボタン６１４をグローバル画面６０１内に表示させることにより、オペレータに対して、容易にメンテナンスガイド画面２０１に移行させる手段を提供することができる。
【０１６４】
更に、制御部１１４は、表示部１１６にメンテナンス画面３０１が表示されている際に、メンテナンスガイド画面２０１へ遷移するメンテナンスガイドボタン６１４をメンテナンス画面３０１内に表示させることや表示部１１６に自動分析装置１００の概要が表示されるオーバービュー画面４０１が表示されている際に、メンテナンスガイド画面２０１へ遷移するメンテナンスガイドボタン４０４をオーバービュー画面４０１内に表示させることによっても、容易にメンテナンスガイド画面２０１に移行させる手段を提供することができる。
【０１６５】
また、制御部１１４は、複数のモジュールのうち、表示対象のモジュールのみのメンテナンスガイド画面２０１を表示させる選択領域を表示させること、複数のモジュールのうち、選択されたモジュールのメンテナンスガイド画面２０１を別途表示させることにより、オペレータが当該モジュールのメンテナンス動作に集中することができるため、オペレータにとっての利便性の向上を図ることができる。
【０１６６】
更に、制御部１１４は、バックグランドでモジュールのメンテナンスが実行され、かつメンテナンスガイド画面２０１以外の画面が表示部１１６に表示されているタイミングで、オペレータへメンテナンス状況を通知する必要があるときは、通知情報を表示させることで、オペレータに対し、メンテナンスガイド画面２０１に移行して次に行うべき動作の確認を実行するように推奨することができる。このため、オペレータは必要な動作をスムーズに、かつ漏れなく確実に実行することができる。
【０１６７】
このような本発明の効果は、サンプラモジュールに分析モジュールが２台以上接続される場合に特に効果がある。
【０１６８】
なお、分析モジュールの構成は同じであっても、必ずしもメンテナンスの進捗状況は同じであるとは限られない。このため、構成が同じ場合にも、複数のモジュールのメンテナンス進捗状況を同一画面上で容易に確認し、かつ複数の異なるメンテナンスを同時に指示、実行可能になることで、全体のメンテナンスに伴う分析不可能な時間の短縮に寄与することができる。
【０１６９】
＜その他＞  
なお、本発明は上記の実施形態に限られず、種々の変形、応用が可能なものである。上述した実施形態は本発明を分かりやすく説明するために詳細に説明したものであり、必ずしも説明した全ての構成を備えるものに限定されない。
【０１７０】
例えば、上述の実施形態では、２台の分析モジュールにサンプラモジュールを１台接続した構成について説明したが、分析モジュールを３台、４台とそれ以上の数の分析モジュールを備えた自動分析装置とすることができる。
【０１７１】
このように３台以上の分析モジュールを接続する場合においても、メンテナンスガイド画面２０１をオペレータが見る位置から自動分析装置１００を見たときの各ユニットの並び（実際の装置レイアウト）と同じ並びで表示することが望ましい。
【０１７２】
また、分析モジュールおよびサンプラモジュールがそれぞれ１台の装置構成とすることも可能である。
【０１７３】
また、上述の実施形態では、複数の検体容器を搭載可能な検体ラック１０１を用いた自動分析装置ついて説明したが、必ずしも検体ラック１０１で検体を搬送する必要はなく、１本の検体容器のみを搭載する検体ホルダを用いた構成でもよいし、更に、検体を直接設置する検体ディスク等を有する構造の自動分析装置であってもよい。
【符号の説明】
【０１７４】
１００：自動分析装置
１０１：検体ラック
１０１Ａ：緊急検体ラック
１０２：検体ラック供給部
１０３：検体ラック収納部
１０４：搬送ライン
１０５：検体識別装置
１０６：ラックロータ
１０６ａ，１０６ｂ：スロット
１０７，２０７：分析モジュール（分析ユニット）
１０７ａ，２００ａ，２０７ａ：モジュール内制御部
１０８，２０８：検体分注機構
１０９，２０９：分注ライン
１１０，２１０：検体識別装置
１１２：緊急検体ラック投入部
１１３：緊急検体ラック待機エリア
１１４：制御部
１１５：記憶部
１１６：表示部（表示装置）
１１７：入力部
１１８，２１８：反応ディスク
１１９，２１９：試薬ディスク
１２０，２２０：試薬分注機構
２００：サンプラモジュール（搬送ユニット）
２０１：メンテナンスガイド画面（ガイド画面）
２３０：第２分析モジュール用表示領域
２３１：サンプラモジュール用表示領域
２３２：第１分析モジュール用表示領域
２４２：モジュール名称表示領域
２４３：ステータス表示領域
２４４：残時間／カウント情報表示領域（残時間情報表示領域、回数情報表示領域）
２４５：ガイダンス情報表示領域
２４６：Ｎｅｘｔボタン（指示領域）
２４７：Ｓｔｏｐボタン（指示領域）
２４８，４０７，６１５：Ｃｌｏｓｅボタン
３００：制御装置
３０１：メンテナンス画面
３０２：メンテナンス分類表示領域
３０３：メンテナンス詳細情報表示領域
３０５：メンテナンス項目Ｎｏ．
３０６：メンテナンス分類
３０８：各モジュール情報
３０９：アクション情報
３１０：日時情報
４０１：オーバービュー画面
４０２：レイアウト表示領域
４０３：ステータス表示領域
４０４：メンテナンスガイドボタン（遷移領域）
４０５：詳細情報表示領域
４０８：Ｅモジュール（免疫）
４０９：Ｃモジュール（生化学）
４１０：Ｓモジュール
５０１：確認画面
５０２：ＯＫボタン
５０３：Ｃａｎｃｅｌボタン
６０１：グローバル画面
６０２：電源ボタン
６０３：ヘルプボタン
６０４：オンラインマニュアルボタン
６０５：メニューボタン
６０６：オーバービューボタン
６０７：メンテナンスボタン
６０８：アラームボタン
６０９：レポートボタン
６１０：ストップボタン
６１１：スタートボタン
６１４：メンテナンスガイドボタン（遷移領域）
【図１】
2020217720.tif 000003
【図２】
2020217720.tif 000004
【図３】
2020217720.tif 000005
【図４】
2020217720.tif 000006
【図５】
2020217720.tif 000007
【図６】
2020217720.tif 000008
【図７】
2020217720.tif 000009
【図８】
2020217720.tif 000010
【国際調査報告】
2020217720.tif 000011
2020217720.tif 000012
2020217720.tif 000013
2020217720.tif 000014
2020217720.tif 000015
2020217720.tif 000016